(57)【要約】【課題】部品点数の増加を抑制しながら、ファンの取付作業性を向上させることが可能で、かつ、ファンのガタツキの発生および脱落を抑制することが可能な画像形成装置を提供する。【解決手段】この画像形成装置（熱転写プリンタ）は、筐体３０と、ファン４０と、ネジ部材５１および５２と、ファン取付部３６および３７とを備える。ファン４０は、ファン取付部３６および３７に支持されるとともに、ネジ部材５１および５２によってファン取付部３６および３７に固定され、ファン取付部３６と、ファン取付部３７とは、ファン４０に対して対角線上に位置し、ファン取付部３６および３７は、それぞれ、ファン４０の取付時においてファン４０をガイドする上下方向ガイド部３６ａおよび３７ａと、横方向ガイド部３６ｂおよび３７ｂとを含み、ファン取付部３６は、ファン４０の取付位置への位置決めを行う位置決め部３６ｄをさらに含む。【選択図】図１
2007245380.tif 000002
【特許請求の範囲】
【請求項１】
印画部が収納される筐体と、前記筐体に取り付けられ、前記印画部で発生する熱を放熱するためのファンとを備えた画像形成装置において、
前記ファンを固定するためのネジ部材と、
前記ファンを取り付けるために前記筐体の側面に一体的に設けられるファン取付部とをさらに備え、
前記ファンは、前記筐体のファン取付部に支持されるとともに、前記ネジ部材によって前記ファン取付部に固定され、
前記ファン取付部は、前記ファンの取付時において、前記ファンをガイドするガイド部と、前記ファンの取付位置への位置決めを行う位置決め部とを含み、
前記ファンは、取付時において、スライドされることにより前記ガイド部を介して取付位置に配置され、
前記ファン取付部は、前記ファンの取付時のスライド方向に対して奥側に配置される第１ファン取付部と手前側に配置される第２ファン取付部とを含み、
前記ネジ部材は、前記第１ファン取付部に対応する第１ネジ部材と、前記第２ファン取付部に対応する第２ネジ部材とを含み、
前記ファンは、前記第１ファン取付部および前記第２ファン取付部に支持されるとともに、前記第１ネジ部材および前記第２ネジ部材によって前記第１ファン取付部および前記第２ファン取付部に固定され、
前記第１ファン取付部と、前記第２ファン取付部とは、前記ファンに対して対角線上に位置し、
前記第１ファン取付部は、前記ファンの取付時において、前記ファンをガイドする第１ガイド部と、前記ファンの取付位置への位置決めを行う位置決め部とを含み、
前記第２ファン取付部は、前記ファンの取付時において、前記ファンをガイドする第２ガイド部を含み、
前記印画部は、印字ヘッドと、前記印字ヘッドで発生する熱を放熱するヒートシンクとを含み、
前記ファンは、前記筐体の内側面の前記ヒートシンクの近傍に取り付けられている、画像形成装置。
【請求項２】
印画部が収納される筐体と、
前記筐体の側面に取り付けられ、前記印画部で発生する熱を放熱するためのファンと、
前記ファンを固定するためのネジ部材と、
前記ファンを取り付けるために前記筐体の側面に一体的に設けられるとともに、前記ファンの取付時において前記ファンをガイドするガイド部を含むファン取付部とを備え、
前記ファンは、取付時において、スライドされることにより前記ガイド部を介して取付位置に配置され、
前記ファンは、前記筐体のファン取付部に支持されるとともに、前記ネジ部材によって前記ファン取付部に固定されている、画像形成装置。
【請求項３】
前記ファン取付部は、前記ファンの取付位置への位置決めを行う位置決め部を含む、請求項２に記載の画像形成装置。
【請求項４】
前記ファン取付部は、前記ファンの取付時のスライド方向に対して奥側に配置される第１ファン取付部と手前側に配置される第２ファン取付部とを含み、
前記ネジ部材は、前記第１ファン取付部に対応する第１ネジ部材と、前記第２ファン取付部に対応する第２ネジ部材とを含み、
前記ファンは、前記第１ファン取付部および前記第２ファン取付部に支持されるとともに、前記第１ネジ部材および前記第２ネジ部材によって前記第１ファン取付部および前記第２ファン取付部に固定され、
前記第１ファン取付部と、前記第２ファン取付部とは、前記ファンに対して対角線上に位置する、請求項２または３に記載の画像形成装置。
【請求項５】
前記ファンは、取付時において、スライドされることにより取付位置に配置され、
前記第１ファン取付部は、前記ファンの取付時において、前記ファンをガイドする第１ガイド部と、前記ファンの取付位置への位置決めを行う位置決め部とを含み、
前記第２ファン取付部は、前記ファンの取付時において、前記ファンをガイドする第２ガイド部を含む、請求項４に記載の画像形成装置。
【請求項６】
前記印画部は、印字ヘッドと、前記印字ヘッドで発生する熱を放熱するヒートシンクとを含み、
前記ファンは、前記筐体の内側面の前記ヒートシンクの近傍に取り付けられている、請求項２〜５のいずれか１項に記載の画像形成装置。
【発明の詳細な説明】
【技術分野】
【０００１】
この発明は、画像形成装置に関し、特に、ファンを備えた画像形成装置に関する。
【背景技術】
【０００２】
従来、ファンを備えた画像形成装置などの電子機器が知られている。また、電子機器には、ファンが種々のファン取付構造によって取り付けられている（たとえば、特許文献１〜５参照）。
【０００３】
上記特許文献１に記載のファン取付構造では、ネジ穴を有するファンが、ケーシング（筐体）の内側に一体的に設けられるとともにネジ挿入穴を有する折曲げ部（ファン取付部）に、ネジにより固定される。この特許文献１では、ファンを取り付ける際に、手でファンを調整することにより、ファンは折曲げ部（ファン取付部）のネジ挿入穴とファンのネジ穴とが合う位置（取付位置）に配置される。
【０００４】
また、上記特許文献２に記載のファン取付構造では、上部筐体および下部筐体にリブを設け、上部筐体と下部筐体とを組み立てた状態で、ファンが上部筐体および下部筐体のリブにより固定される。
【０００５】
また、上記特許文献３および４に記載のファン取付構造では、板バネの撓みを利用することにより、ファンが取り付けられる。
【０００６】
また、上記特許文献５に記載のファン取付構造では、制御装置（筐体）にファンケースが固定され、ファンケースにファンが収納される。そして、ファン押さえ金具によりファンケースに収納されたファンを係止するとともに、ファン押さえ金具をネジによってファンケースに固定することにより、ファンが固定される。
【０００７】
【特許文献１】実用新案登録第３１０９１７４号公報
【特許文献２】特開平１０−２８４８６３号公報
【特許文献３】特開２００５−１９７４２１号公報
【特許文献４】実用新案登録第３０７８５１５号公報
【特許文献５】実開平５−８３６３５号公報
【発明の開示】
【発明が解決しようとする課題】
【０００８】
しかしながら、上記特許文献１に記載のファン取付構造では、ファンを取り付ける際に、折曲げ部（ファン取付部）のネジ挿入穴とファンのネジ穴とが合う位置（取付位置）にファンを手で調整して配置しなければならないため、ファンの取付作業が煩雑であるという不都合がある。このため、ファンの取付作業性を向上させるのが困難であるという問題点がある。
【０００９】
また、上記特許文献２に記載のファン取付構造では、上部筐体および下部筐体のリブの実際の寸法が設計値とずれた場合には、ファンとリブとの間に隙間が生じることが考えられる。この場合には、ファンにガタツキが発生してしまうという問題点がある。
【００１０】
また、上記特許文献３および４に記載のファン取付構造では、ファンを板バネの撓みを利用して取り付けているため、ファンを固定する力が小さい。そのため、衝撃が加わった場合には、ファンが脱落してしまう場合があるという問題点がある。
【００１１】
また、上記特許文献５に記載のファン取付構造では、ファンを取り付けるためのネジの他に、ファンケースおよびファン押さえ金具が別途必要であるため、部品点数が増加するという問題点がある。
【００１２】
この発明は、上記のような課題を解決するためになされたものであり、この発明の１つの目的は、部品点数の増加を抑制しながら、ファンの取付作業性を向上させることが可能で、かつ、ファンのガタツキの発生および脱落を抑制することが可能な画像形成装置を提供することである。
【課題を解決するための手段および発明の効果】
【００１３】
この発明の第１の局面による画像形成装置は、印画部が収納される筐体と、筐体に取り付けられ、印画部で発生する熱を放熱するためのファンとを備えた画像形成装置において、ファンを固定するためのネジ部材と、ファンを取り付けるために筐体の側面に一体的に設けられるファン取付部とをさらに備え、ファンは、筐体のファン取付部に支持されるとともに、ネジ部材によってファン取付部に固定され、ファン取付部は、ファンの取付時において、ファンをガイドするガイド部と、ファンの取付位置への位置決めを行う位置決め部とを含み、ファンは、取付時において、スライドされることによりガイド部を介して取付位置に配置され、ファン取付部は、ファンの取付時のスライド方向に対して奥側に配置される第１ファン取付部と手前側に配置される第２ファン取付部とを含み、ネジ部材は、第１ファン取付部に対応する第１ネジ部材と、第２ファン取付部に対応する第２ネジ部材とを含み、ファンは、第１ファン取付部および第２ファン取付部に支持されるとともに、第１ネジ部材および第２ネジ部材によって第１ファン取付部および第２ファン取付部に固定され、第１ファン取付部と、第２ファン取付部とは、ファンに対して対角線上に位置し、第１ファン取付部は、ファンの取付時において、ファンをガイドする第１ガイド部と、ファンの取付位置への位置決めを行う位置決め部とを含み、第２ファン取付部は、ファンの取付時において、ファンをガイドする第２ガイド部を含み、印画部は、印字ヘッドと、印字ヘッドで発生する熱を放熱するヒートシンクとを含み、ファンは、筐体の内側面のヒートシンクの近傍に取り付けられている。
【００１４】
この第１の局面による画像形成装置では、上記のように、ファンを取り付けるために筐体の側面にファン取付部を一体的に設けることによって、ファンを取り付けるための部材を別途設ける必要がないため、部品点数の増加を抑制することができる。また、ファンをネジ部材によってファン取付部に固定することによって、強固に固定することができるので、ファンのガタツキおよび脱落を抑制することができる。また、ファン取付部に、ファンの取付時においてファンをガイドするガイド部を設けるとともに、ファンを、スライドすることによりガイド部を介して取付位置に配置することによって、ファンを取付位置に合うように手で調整する必要がないので、ファンの取付作業を容易に行うことができる。これにより、ファンの取付作業性を向上させることができる。また、ファン取付部は、ファンの取付位置への位置決めを行う位置決め部を含むように構成することによって、ガイド部を介してスライドされるファンを位置決め部によって取付位置に配置することができるので、ファンの取付作業性をより向上させることができる。
【００１５】
また、第１の局面による画像形成装置では、ファンを、第１ファン取付部および第２ファン取付部に支持するとともに、第１ネジ部材および第２ネジ部材によって第１ファン取付部および第２ファン取付部に固定し、かつ、第１ファン取付部と第２ファン取付部とを、ファンに対して対角線上に位置するように構成することによって、ファンを固定する力が偏らないため、ファンを安定して固定することができる。また、第１ファン取付部を、ファンの取付時において、ファンをガイドする第１ガイド部と、ファンの取付位置への位置決めを行う位置決め部とを含むように構成するとともに、第２ファン取付部を、ファンの取付時において、ファンをガイドする第２ガイド部を含むように構成することによって、第１ファン取付部の第１ガイド部および第２ファン取付部の第２ガイド部と第１ファン取付部の位置決め部とにより、容易にファンを取付位置に配置することができるので、容易にファンの取付作業性を向上させることができる。また、印画部を、印字ヘッドと、印字ヘッドで発生する熱を放熱するヒートシンクとを含むように構成するとともに、ファンを、筐体の内側面のヒートシンクの近傍に取り付けることによって、ヒートシンクにより放熱された熱をファンによって、容易に、外部に逃がすことができる。
【００１６】
この発明の第２の局面による画像形成装置は、印画部が収納される筐体と、筐体の側面に取り付けられ、印画部で発生する熱を放熱するためのファンと、ファンを固定するためのネジ部材と、ファンを取り付けるために筐体の側面に一体的に設けられるとともに、ファンの取付時においてファンをガイドするガイド部を含むファン取付部とを備え、ファンは、取付時において、スライドされることによりガイド部を介して取付位置に配置され、
ファンは、筐体のファン取付部に支持されるとともに、ネジ部材によってファン取付部に固定されている。
【００１７】
この第２の局面による画像形成装置では、上記のように、ファンを取り付けるために筐体の側面にファン取付部を一体的に設けることによって、ファンを取り付けるための部材を別途設ける必要がないため、部品点数の増加を抑制することができる。また、ファンをネジ部材によってファン取付部に固定することによって、強固に固定することができるので、ファンのガタツキおよび脱落を抑制することができる。また、ファン取付部に、ファンの取付時においてファンをガイドするガイド部を設けるとともに、ファンを、スライドすることによりガイド部を介して取付位置に配置することによって、ファンを取付位置に合うように手で調整する必要がないので、ファンの取付作業を容易に行うことができる。これにより、ファンの取付作業性を向上させることができる。
【００１８】
この第２の局面による画像形成装置において、好ましくは、ファン取付部は、ファンの取付位置への位置決めを行う位置決め部を含む。このように構成すれば、ガイド部を介してスライドされるファンを位置決め部によって取付位置に配置することができるので、ファンの取付作業性をより向上させることができる。
【００１９】
この第２の局面による画像形成装置において、好ましくは、ファン取付部は、ファンの取付時のスライド方向に対して奥側に配置される第１ファン取付部と手前側に配置される第２ファン取付部とを含み、ネジ部材は、第１ファン取付部に対応する第１ネジ部材と、第２ファン取付部に対応する第２ネジ部材とを含み、ファンは、第１ファン取付部および第２ファン取付部に支持されるとともに、第１ネジ部材および第２ネジ部材によって第１ファン取付部および第２ファン取付部に固定され、第１ファン取付部と、第２ファン取付部とは、ファンに対して対角線上に位置する。このように構成すれば、ファンを固定する力が偏らないため、ファンを安定して固定することができる。
【００２０】
この場合、好ましくは、ファンは、取付時において、スライドされることにより取付位置に配置され、第１ファン取付部は、ファンの取付時において、ファンをガイドする第１ガイド部と、ファンの取付位置への位置決めを行う位置決め部とを含み、第２ファン取付部は、ファンの取付時において、ファンをガイドする第２ガイド部を含む。このように構成すれば、第１ファン取付部の第１ガイド部および第２ファン取付部の第２ガイド部と第１ファン取付部の位置決め部とにより、容易にファンを取付位置に配置することができるので、容易にファンの取付作業性を向上させることができる。
【００２１】
この第２の局面による画像形成装置において、好ましくは、印画部は、印字ヘッドと、印字ヘッドで発生する熱を放熱するヒートシンクとを含み、ファンは、筐体の内側面のヒートシンクの近傍に取り付けられている。このように構成すれば、ヒートシンクにより放熱された熱をファンによって、容易に、外部に逃がすことができる。
【発明を実施するための最良の形態】
【００２２】
以下、本発明を具体化した実施形態を図面に基づいて説明する。
【００２３】
図１は、本発明の一実施形態による熱転写プリンタの全体構成を示す分解斜視図である。図２〜図１１は、本発明の一実施形態による熱転写プリンタの詳細を示す図である。まず、図１〜図１１を参照して、本発明の一実施形態による熱転写プリンタの構造を説明する。なお、本実施形態では、画像形成装置の一例である熱転写プリンタに本発明を適用した場合について説明する。
【００２４】
本実施形態による熱転写プリンタは、図１〜図３に示すように、印字を行う印画部１０と、印画部１０が収納される筐体３０と、筐体３０の内側面３０ａに取り付けられ、印画部１０で発生する熱を放熱するためのファン４０と、ファンを固定するためのネジ部材５１およびネジ部材５２とを備える。なお、ネジ部材５１およびネジ部材５２は、それぞれ、本発明の「第１ネジ部材」および「第２ネジ部材」の一例である。
【００２５】
また、印画部１０は、図１〜図３に示すように、金属製のシャーシ１１と、印字を行うための印字ヘッド１２およびプラテンローラ１３と、用紙６０（図２参照）を搬送するための送りローラ１４および押さえローラ１５と、用紙６０（図２参照）を外部から印画部１０内部に搬送するための給紙ローラ１６とを含む。また、熱転写プリンタの印画部１０には、インクシート１７が収納されたインクシートカートリッジ１８（図２参照）が脱着可能に挿入される。また、熱転写プリンタには、用紙６０（図２参照）が収納された給紙カセット（図示せず）が脱着可能に装着される。
【００２６】
また、シャーシ１１は、一方側面１１ａと、他方側面１１ｂと、一方側面１１ａと他方側面１１ｂとを連結する底面１１ｃとを有する。また、シャーシ１１の他方側面１１ｂには、インクシートカートリッジ１８を挿入するための挿入穴１１ｄが設けられている。
【００２７】
また、印字ヘッド１２は、アーム１２ａと、印字部１２ｂと、ヒートシンク１２ｃと、支軸１２ｄとを有する。印字ヘッド１２は、アーム１２ａが支軸１２ｄを中心に回動することにより、印字部１２ｂがプラテンローラ１３に押圧または離間するように構成されている。また、ヒートシンク１２ｃは、アルミニウムなどからなり、印字部１２ｂが発する熱を放熱する機能を有する。また、ヒートシンク１２ｃは、印字部１２ｂの上面上に取り付けられるとともに、ファン４０側に向かって伸びるように形成されている。また、ヒートシンク１２ｃは、アーム１２ａと一体的に形成されている。
【００２８】
また、送りローラ１４および押さえローラ１５は、用紙６０を間に挟んだ状態で回転することにより、用紙６０を給紙方向（矢印Ａ１方向）または排紙方向（矢印Ｂ１方向）に搬送する機能を有する。
【００２９】
また、給紙ローラ１６は、給紙カセット（図示せず）に載置された用紙６０を印画部１０内部に取り込む機能を有する。
【００３０】
また、筐体３０は、図１〜図３に示すように、給紙カセット（図示せず）が挿入される給紙カセット挿入部３１と、インクシートカートリッジ１８を挿入するための挿入穴３２と、長穴３３と、用紙ガイドリブ３４と、筐体３０の側面３０ａに設けられた排熱穴３５とを含む。また、筐体３０の排熱穴３５の内側には、ファン４０が取り付けられる。
【００３１】
また、図２および図３に示すように、給紙カセット挿入部３１の内側近傍には、給紙ローラ１６が配置される。また、長穴３３は、後述する印字開始位置における用紙６０の給紙方向側（矢印Ａ１方向）の端部を逃がすために設けられている。また、用紙ガイドリブ３４は、給紙方向（矢印Ａ１方向）に搬送される用紙６０を長穴３３にガイドする機能を有する。また、ファン４０および排熱穴３５は、印字ヘッド１２のヒートシンク１２ｃの近傍に配置される。ファン４０は、回転することにより、印画部１０の内部から外部に排熱穴３５を介して、ヒートシンク１２ｃ付近の熱を持った空気を矢印Ｐ方向に排出する機能を有する。また、図１および図１１に示すように、ファン４０は、互いに対角線上に位置するネジ穴４０ａおよびネジ穴４０ｂを含むとともに、厚みｔ（図１参照）と、垂直方向（矢印Ｄ方向）の長さＬ（図１１参照）とを有する。
【００３２】
ここで、本実施形態では、図４〜図８に示すように、ファン４０が取り付けられる筐体３０の内側面３０ａには、ファン４０を取り付けるためのファン取付部３６およびファン取付部３７が一体的に設けられている。ファン４０は、スライドされることにより取付位置に配置され、ファン４０のスライド方向（矢印Ｃ方向）に対して奥側にファン取付部３６が配置され、手前側にファン取付部３７が配置されている。ファン取付部３６およびファン取付部３７は、それぞれ、筐体３０の内側面３０ａから垂直方向に突出する上下方向上下方向ガイド部３６ａおよび３７ａと、上下方向ガイド部３６ａおよび３７ａの端部から筐体３０の内側面３０ａと平行な方向に突出する横方向ガイド部３６ｂおよび３７ｂとを含む。また、横方向ガイド部３６ｂおよび３７ｂは、それぞれ、ネジ部材５１およびネジ部材５２を挿入するためのネジ挿入穴３６ｃおよびネジ挿入穴３７ｃ（図７、図９および図１０参照）を有する。また、上下方向ガイド部３６ａおよび３７ａのガイド面と、横方向ガイド部３６ｂおよび３７ｂのガイド面とは、ファン４０を矢印Ｃ方向にスライド可能なように、水平方向に延びて形成されている。ファン取付部３６の上下方向ガイド部３６ａおよび横方向ガイド部３６ｂと、ファン取付部３７の上下方向ガイド部３７ａおよび横方向ガイド部３７ｂとは、ファン４０がスライドされることにより取付位置に配置される際に、ファン４０と当接することによりガイドする機能を有する。また、図７に示すように、ファン取付部３６の横方向ガイド部３６ｂおよびファン取付部３７の横方向ガイド部３７ｂには、それぞれ、ネジ部材５１およびネジ部材５２によりネジ挿入穴３６ｃおよびネジ挿入穴３７ｃとファン４０のネジ穴４０ａおよび４０ｂとを介してファン４０が固定される。なお、ファン取付部３６およびファン取付部３７は、それぞれ、本発明の「第１ファン取付部」および「第２ファン取付部」の一例である。また、上下方向ガイド部３６ａおよび横方向ガイド部３６ｂは、それぞれ、本発明の「第１ガイド部」の一例であり、上下方向ガイド部３７ａおよび横方向ガイド部３７ｂは、それぞれ、本発明の「第２ガイド部」の一例である。
【００３３】
また、ファン取付部３６の上下方向ガイド部３６ａと、ファン取付部３７の上下方向ガイド部３７ａとの垂直方向（矢印Ｄ方向）の間隔Ｄ１（図９参照）は、ファン４０の垂直方向（矢印Ｄ方向）の長さＬ（図１１参照）とほぼ同じ大きさに形成されている。また、筐体３０の内側面３０ａとファン取付部３６の横方向ガイド部３６ｂとの間隔Ｄ２（図１０参照）および筐体３０の内側面３０ａとファン取付部３７の横方向ガイド部３７ｂとの間隔Ｄ３（図１０参照）は、ファン４０の厚みｔ（図１参照）と同じか、または厚みｔよりも大きい大きさになるように形成されている。これにより、ファン取付部３６の横方向ガイド部３６ｂおよびファン取付部３７の横方向ガイド部３７ｂに、ガイド機能を持たせることが可能になる。
【００３４】
また、図５、図６および図８〜図１０に示すように、ファン取付部３６は、ファン４０を取り付ける際に取付位置への位置決めを行う位置決め部３６ｄを含む。位置決め部３６ｄは、ファン４０が上下方向ガイド部３６ａおよび上下方向ガイド部３７ａと、横方向ガイド部３６ｂおよび横方向ガイド部３７ｂとにガイドされながらスライド方向（矢印Ｃ方向）にスライドされるとファン４０の側面が当接するように配置されている。また、ネジ挿入穴３６ｃおよびネジ挿入穴３７ｃは、それぞれ、ファン４０がファン取付部３６の位置決め部３６ｄに当接した時にファン４０のネジ穴４０ａおよびネジ穴４０ｂと合うように配置されている。すなわち、ファン４０をファン取付部３６の上下方向ガイド部３６ａおよび横方向ガイド部３６ｂと、ファン取付部３７の上下方向ガイド部３７ａおよび横方向ガイド部３７ｂとに当接させながらスライドさせ、位置決め部３６ｄに当接した時のファン４０の位置が取付位置となる。
【００３５】
図１２〜図１４は、本発明の一実施形態による熱転写プリンタの筐体にファンを取り付ける手順を説明するための図である。次に、図６および図１２〜図１４を参照して、本発明の一実施形態による熱転写プリンタの筐体３０にファン４０を取り付ける手順を説明する。
【００３６】
まず、図１２に示すように、ファン４０を上方から垂直方向（矢印Ｅ方向）に移動させることにより、ファン４０の下面をファン取付部３７の上下方向ガイド部３７ａに当接させる。その後、ファン４０を、スライド方向（矢印Ｃ方向）にスライドさせる。これにより、ファン４０は、ファン取付部３７の上下方向ガイド部３７ａおよび横方向ガイド部３７ｂにガイドされながら、矢印Ｃ方向に移動される。そして、ファン４０を矢印Ｃ方向にさらにスライド移動させると、ファン４０は、図１３に示すように、ファン取付部３６の上下方向ガイド部３６ａおよび横方向ガイド部３６ｂと、ファン取付部３７の上下方向ガイド部３７ａおよび横方向ガイド部３７ｂとにガイドされながら、移動される。そして、図１４に示すように、ファン４０の側面がファン取付部３６の位置決め部３６ｄに当接される。この状態で、ファン取付部３６の横方向ガイド部３６ｂのネジ挿入穴３６ｃおよびファン取付部３７の横方向ガイド部３７ｂのネジ挿入穴３７ｃが、それぞれ、ファン４０のネジ穴４０ａおよびネジ穴４０ｂと位置合わせされた状態になる。そして、図６に示すように、ファン取付部３６のネジ挿入穴３６ｃおよびファン取付部３７のネジ挿入穴３７ｃに、それぞれ、ネジ部材５１およびネジ部材５２を挿入して締め付けることによってファン４０がファン取付部３６およびファン取付部３７に固定される。
【００３７】
次に、図２および図３を参照して、本発明の一実施形態による熱転写プリンタの印字動作を説明する。
【００３８】
図２に示すように、印画部１０において、給紙ローラ１６によって印画部１０内部に取り込まれた用紙６０は、送りローラ１４が矢印Ａ２方向に回転することによって給紙方向（矢印Ａ１方向）に印字開始位置まで搬送される。その後、図３に示すように、印字開始位置から送りローラ１４が矢印Ｂ２方向に回転することによって用紙６０は排紙方向（矢印Ｂ１方向）に搬送される。用紙６０を排紙方向（矢印Ｂ１方向）に搬送する際に、印字ヘッド１２とプラテンローラ１３とにより用紙６０とインクシート１７とが押圧されるとともに、印字ヘッド１２の印字部１２ｂが発熱される。この発熱によりインクシート１７のインクが昇華されるとともに用紙６０に転写される。このようにして印画部１０において印字が行われる。
【００３９】
本実施形態では、上記のように、ファン４０を取り付けるために筐体３０の内側面３０ａにファン取付部３６およびファン取付部３７を一体的に設けることによって、ファン４０を取り付けるための部材を別途設ける必要がないため、部品点数の増加を抑制することができる。また、ファン４０をネジ部材５１およびネジ部材５２によって、それぞれ、ファン取付部３６およびファン取付部３７に固定することによって、強固に固定することができるので、ファン４０のガタツキおよび脱落を抑制することができる。また、ファン取付部３６およびファン取付部３７に、それぞれ、ファン４０の取付時においてファン４０をガイドする上下方向ガイド部３６ａおよび上下方向ガイド部３７ａを設けるとともに、ファン４０を、スライドすることにより上下方向ガイド部３６ａおよび上下方向ガイド部３７ａを介して取付位置に配置することによって、ファン４０を取付位置に合うように手で調整する必要がないので、ファン４０の取付作業を容易に行うことができる。これにより、ファン４０の取付作業性を向上させることができる。
【００４０】
また、本実施形態では、上記のように、ファン取付部３６は、ファン４０の取付位置への位置決めを行う位置決め部３６ｄを含むように構成することによって、上下方向ガイド部３６ａおよび上下方向ガイド部３７ａを介してスライドされるファン４０を、位置決め部３６ｄによって取付位置に配置することができるので、ファン４０の取付作業性をより向上させることができる。
【００４１】
また、本実施形態では、上記のように、ファン４０を、ファン取付部３６およびファン取付部３７に支持するとともに、ネジ部材５１およびネジ部材５２によって、それぞれ、ファン取付部３６およびファン取付部３７に固定し、かつ、ファン取付部３６とファン取付部３７とは、ファン４０に対して対角線上に位置するように構成することによって、ファン４０を固定する力が偏らないため、ファン４０を安定して固定することができる。
【００４２】
また、本実施形態では、上記のように、ファン取付部３６を、ファン４０の取付時において、ファン４０をガイドする上下方向ガイド部３６ａと、ファン４０の取付位置への位置決めを行う位置決め部３６ｄとを含むように構成するとともに、ファン取付部３７を、ファン４０の取付時において、ファン４０をガイドする上下方向ガイド部３７ａを含むように構成することによって、ファン取付部３６の上下方向ガイド部３６ａおよびファン取付部３７の上下方向ガイド部３７ａとファン取付部３６の位置決め部３６ｄとにより、容易にファン４０を取付位置に配置することができるので、容易にファン４０の取付作業性を向上させることができる。
【００４３】
また、本実施形態では、上記のように、印画部１０を、印字ヘッド１２と、印字ヘッド１２で発生する熱を放熱するヒートシンク１２ｃとを含むように構成するとともに、ファン４０を、筐体３０の内側面３０ａのヒートシンク１２ｃの近傍に取り付けることによって、ヒートシンク１２ｃにより放熱された熱をファン４０によって容易に外部に逃がすことができる。
【００４４】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記実施形態では、画像形成装置の一例として熱転写プリンタを示したが、本発明はこれに限らず、熱を発生する印画部を有する画像形成装置であれば、熱転写プリンタ以外の他の画像形成装置にも適用可能である。
【００４６】
また、上記実施形態では、矢印Ｃ方向にスライドさせることによりファン４０をファン取付部３６およびファン取付部３７に取り付ける例を示したが、本発明はこれに限らず、図１５および図１６に示す変形例のように、垂直下方（矢印Ｅ方向）にスライドさせることによりファン４０をファン取付部７６およびファン取付部７７に取り付けるようにしてもよい。この変形例による熱転写プリンタは、図１５に示すように、上記実施形態と同様の印画部１０、ファン４０、ネジ部材５１およびネジ部材５２を備えるとともに、変形例による筐体７０を備える。この変形例による筐体７０は、給紙カセット挿入部７１と、挿入穴７２と、長穴７３と、用紙ガイドリブ７４と、排熱穴７５と、ファン取付部７６と、ファン取付部７７とを含む。ファン取付部７６およびファン取付部７７は、それぞれ、筐体７０の内側面７０ａから垂直に突出する水平方向ガイド部７６ａおよび７７ａと、水平方向ガイド部７６ａおよび７７ａの端部から筐体７０の内側面７０ａと平行に突出する横方向ガイド部７６ｂおよび７７ｂとを有する。また、水平方向ガイド部７６ａおよび７７ａのガイド面と、横方向ガイド部７６ｂおよび７７ｂのガイド面とは、ファン４０を矢印Ｅ方向にスライド可能なように、上下方向に延びて形成されている。また、横方向ガイド部７６ｂおよび７７ｂは、それぞれ、ネジ部材５１およびネジ部材５２を挿入するためのネジ挿入穴７６ｃおよびネジ挿入穴７７ｃを有する。また、ファン取付部７６は、ファン４０を矢印Ｅ方向に移動させると当接するように配置された位置決め部７６ｄ（図１６参照）を有する。
【００４７】
また、本実施形態では、上下方向ガイド部３６ａと横方向ガイド部３６ｂと位置決め部３６ｄとを含むファン取付部３６と、上下方向ガイド部３７ａと横方向ガイド部３７ｂとを含むファン取付部３７との２つのファン取付部を筐体に設けた例を示したが、本発明はこれに限らず、ガイド部のみまたはガイド部および位置決め部を有する１つまたは３つ以上のファン取付部を筐体に設けてもよい。
【００４８】
また、本実施形態では、ファン取付部３６およびファン取付部３７を筐体３０の内側面３０ａに設けた例を示したが、本発明はこれに限らず、ファン取付部を筐体の外側面に設けてもよい。
【図面の簡単な説明】
【００４９】
【図１】本発明の一実施形態による熱転写プリンタの全体構成を示す分解斜視図である。
【図２】本発明の一実施形態による熱転写プリンタの断面図である。
【図３】本発明の一実施形態による熱転写プリンタの断面図である。
【図４】本発明の一実施形態による熱転写プリンタの筐体にファンを取り付けた状態を示す斜視図である。
【図５】図４に示す斜視図を別方向から見た場合を示す斜視図である。
【図６】本発明の一実施形態による熱転写プリンタの筐体にファンを取り付けた状態を示す正面図である。
【図７】本発明の一実施形態による熱転写プリンタの筐体にファンを取り付けた状態を示す図６の１００−１００線に沿った断面図である。
【図８】本発明の一実施形態による熱転写プリンタの筐体にファンを取り付けた状態を示す平面図である。
【図９】図６に示した正面図からファンを取り外した状態を示す正面図である。
【図１０】図８に示した平面図からファンを取り外した状態を示す平面図である。
【図１１】本発明の一実施形態による熱転写プリンタのファンを示す正面図である。
【図１２】本発明の一実施形態による熱転写プリンタの筐体にファンを取り付ける手順を説明するための図である。
【図１３】本発明の一実施形態による熱転写プリンタの筐体にファンを取り付ける手順を説明するための図である。
【図１４】本発明の一実施形態による熱転写プリンタの筐体にファンを取り付ける手順を説明するための図である。
【図１５】本発明の一実施形態による熱転写プリンタの変形例の全体構成を示す分解斜視図である。
【図１６】図１５に示した本発明の一実施形態による熱転写プリンタの変形例による筐体を別方向から見た場合を示す斜視図である。
【符号の説明】
【００５０】
１０            印画部
３０、７０      筐体
３６、７６      ファン取付部（第１ファン取付部）
３６ａ          上下方向ガイド部（第１ガイド部）
３６ｂ、７６ｂ  横方向ガイド部（第１ガイド部）
３６ｄ、７７ｄ  位置決め部  
３７、７７      ファン取付部（第２ファン取付部）
３７ａ          上下方向ガイド部（第２ガイド部）  
３７ｂ、７７ｂ  横方向ガイド部（第２ガイド部）
４０            ファン
５１            ネジ部材（第１ネジ部材）
５２            ネジ部材（第２ネジ部材）
７６ａ          水平方向ガイド部（第１ガイド部）
７７ａ          水平方向ガイド部（第２ガイド部）
【図１】
2007245380.tif 000003
【図２】
2007245380.tif 000004
【図３】
2007245380.tif 000005
【図４】
2007245380.tif 000006
【図５】
2007245380.tif 000007
【図６】
2007245380.tif 000008
【図７】
2007245380.tif 000009
【図８】
2007245380.tif 000010
【図９】
2007245380.tif 000011
【図１０】
2007245380.tif 000012
【図１１】
2007245380.tif 000013
【図１２】
2007245380.tif 000014
【図１３】
2007245380.tif 000015
【図１４】
2007245380.tif 000016
【図１５】
2007245380.tif 000017
【図１６】
2007245380.tif 000018